(57)【特許請求の範囲】
【請求項１】
固定部と該固定部の前面側に閉鎖及び開放可能に取付けられた前開き部とを備えた装置本体内に、発光体、制御装置等が収納された表示室が形成され、かつ、前記固定部は中空部を備えた枠体が矩形に枠組みされて形成されると共に、矩形を形成する各々の枠体の前記中空部は連通されて空気が通ることが可能となされ、また、前記表示室と前記中空部とに連通された放熱孔を用いて前記表示室から前記中空部に空気を送り込む送風機を備え、さらに、前記中空部から外気に通じる排気孔が、前記放熱孔より下方に設けられていることを特徴とする発光式情報表示装置。
【請求項２】
前記放熱孔は、前記表示室の上端付近に設けられ、前記排気孔が前記枠材の側面若しくは下面に設けられていることを特徴とする請求項１に記載の発光式情報表示装置。
【請求項３】
前記表示室は、下面に吸気孔が設けられ、前記排気孔と前記吸気孔とが近接して設けられていることを特徴とする請求項１又は２に記載の発光式情報表示装置。
【発明の詳細な説明】
【技術分野】
【０００１】
本発明は、発光体による発光により情報を表示する発光式情報表示装置に関するものである。
【背景技術】
【０００２】
発光体により表示部を内照又は間接的に照明して表示部を発光させたり、発光体をマトリックス状に配置して所望の発光体を発光させたりして様々な情報を表示する発光式情報表示板については種々のものが用いられてきている。発光体や制御機器類は動作に伴い発熱するものであり、発光体や制御機器類が密閉されている空間に配置されているような場合には、熱が籠もることで発光体の発光輝度や寿命に悪影響が生じたり、基板や周辺機器の熱による変形や故障等に繋がったりする場合がある。
【０００３】
かかる発光体の熱を放熱するために、例えばランプが内蔵された照明器具本体の両端部にエンドカバーが取付けられた誘導灯において、照明器具本体内にランプ室を形成し、エンドカバー内に電気部品収納室を形成し、ランプ室と電気部品収納室とを仕切る仕切り板に放熱用孔を設けた誘導灯が開示されている（例えば特許文献１）。
【０００４】
【特許文献１】実願平５−３１１６７号のＣＤ−ＲＯＭ（実開平７−１５０９号）
【発明の開示】
【発明が解決しようとする課題】
【０００５】
しかしながら、特許文献１のような従来の発光式情報表示装置では、ランプ室内に水分や塵埃等が侵入する恐れはないものの、放熱は金属カバーのみに頼るものであり、発光体や制御機器類の発熱量が大きくなった場合には十分な放熱が行われないことが懸念される。また放熱を図るために空気の入れ替え用のファンを設けるのでは、装置内に水分や塵埃等が侵入しないように空気の出入口にフード等を設ける必要があり、フード等の取り付けに繁雑な作業が必要となったり、装置の美観が損なわれたりする恐れがあった。
【０００６】
本発明は上記の如き課題に鑑みてなされたものであり、発光体の発熱量が大きくなっても十分な放熱を図ることができ、且つ簡便な構造で装置内への水分や塵埃等の侵入を防止できるようになされた発光式情報表示装置を提供せんとするものである。
【課題を解決するための手段】
【０００７】
上記目的を達成するため、本発明は以下のような構成としている。すなわち、本発明に係わる発光式情報表示装置は、固定部と該固定部の前面側に閉鎖及び開放可能に取付けられた前開き部とを備えた装置本体内に、発光体、制御装置等が収納された表示室が形成され、かつ、前記固定部は中空部を備えた枠体が矩形に枠組みされて形成されると共に、矩形を形成する各々の枠体の前記中空部は連通されて空気が通ることが可能となされ、また、前記表示室と前記中空部とに連通された放熱孔を用いて前記表示室から前記中空部に空気を送り込む送風機を備え、さらに、前記中空部から外気に通じる排気孔が、前記放熱孔より下方に設けられていることを特徴とするものである。
【０００８】
本発明に係わる発光式情報表示装置によれば、表示室に収納された発光体からの発熱は、送風機により排熱孔から強制的に排出されることで、発光体の発熱量が大きくなっても十分な放熱を図ることができるが、表示室から外気に至る間に中空部が介在し、且つ排気孔が放熱孔より下方に設けられていることで、フード等を設ける必要がなく、枠材を用いるのみの簡便な構造で装置内への水分や塵埃等の侵入を防止するようにできる。
【０００９】
また前記放熱孔は、前記表示室の上端付近に設けられ、前記排気孔が前記枠材の側面若しくは下面に設けられていれば、表示室内上方に滞留する熱を効率よく排出し、且つ排気孔からの水分や塵埃等の侵入をより確実に防止して表示室内の発光体や制御装置等を保護することができるようになり好ましい。
【００１０】
また前記表示室は、下面に吸気孔が設けられ、前記排気孔と前記吸気孔とが近接して設けられていれば、吸気孔から表示室への吸気に排気孔からの排気が混合されて表示室内に急激な温度変化が生じるのが防がれ、結露等の発生を未然に防止できるようになり好ましい。
【発明の効果】
【００１１】
本発明に係わる発光式情報表示装置によれば、表示室に収納された発光体からの発熱は、送風機により排熱孔から強制的に排出されることで、発光体の発熱量が大きくなっても十分な放熱を図ることができるが、表示室から外気に至る間に中空部が介在し、且つ排気孔が放熱孔より下方に設けられていることで、フード等を設ける必要がなく、枠材を用いるのみの簡便な構造で装置内への水分や塵埃等の侵入を防止するようにできる。
【発明を実施するための最良の形態】
【００１２】
本発明に係わる最良の実施の形態について、図面に基づき以下に具体的に説明する。
【００１３】
図１は、本発明に係わる発光式情報表示装置の実施の一形態を示すもので、（ａ）は全体の斜視図、（ｂ）は表示室が開放された状態を示す説明図である。まず（ａ）において、発光式情報表示装置１０は、発光体１がマトリックス状に配置され、発光体１が発光することで「凍結注意」や「５」といった文字等が表示されるようになされたものである。発光式情報表示装置１０は、発光体１が設けられた前開き部Ａと、支持体に取り付けられる固定部Ｂとを備え、前開き部Ａと固定部ＢとはピポットヒンジＨを中心として回動可能に固定され、前開き部Ａが左開きの扉状となされている。
【００１４】
次に（ｂ）において、前開き部Ａが閉鎖された状態では、ピポットヒンジＨとワンタッチ式の閉鎖鍵Ｊ１及びＪ２により閉鎖状態が保持されるようになされている。前開き部Ａが開放されることで、固定部Ｂの前面側が開放されるが、前開き部Ａと固定部Ｂとの間は前開き部Ａが閉鎖された状態ではほぼ密閉された状態となって、発光体１や基板１１、制御装置２等が収納される表示室３が形成されている。表示室３内の上方には、更に表示室３内の熱せられた空気を排出するための送風機４が設けられている。また固定部Ｂの背面側には、発光式情報表示装置１０を支持体に取り付ける取付金具５が取り付けられている。
【００１５】
図２は、図１（ａ）におけるＣ−Ｃ断面を示す横断面図である。前開き部Ａの周囲には前側枠体６が枠組みされて発光体１、基板１１及び前面板８などを固定しており、固定部Ｂには後側枠体７が枠組みされて、制御装置２、背面板９などを固定しており、主として前側枠体６、後側枠体７、前面板８及び背面板９により表示室３が形成されている。前側枠体６及び後側枠体７は、アルミニウム押出形材からなり、連続した中空部６１及び７１を備えたものである。前側枠体６及び後側枠体７は矩形に枠組みされると共に、矩形を形成する各々の前側枠体６及び後側枠体７における中空部６１及び７１は連通されて空気が通ることが可能となされている。前開き部Ａが閉鎖された状態では、固定部Ｂとの間に設けられたパッキンＰにより表示室３の密閉状態が確保される。本実施形態においては、後側枠体７の中空部７１を用いて放熱を行うものとしているが、前側枠体６の中空部６１を用いて放熱を行うようにしてもよい。
【００１６】
図３は、発光式情報表示装置１０の下面付近を示すもので、（ａ）は下面図、（ｂ）は下端付近の側面図である。まず（ａ）において、発光式情報表示装置１０の底面には、後側枠体７の底面に中空部７１に通じる排気孔７２が設けられ、前開き部Ａの底面には、表示室３に空気を導入可能な吸気孔３１が設けられている。吸気孔３１と表示室３内との間には、空気は通すものの塵埃等の侵入を防止できるフィルター（図示せず）が取り付けられている。後述するが、表示室３内の熱せられた空気は排気孔７２から排出されるが、吸気孔３１と排気孔７２とは同じ底面に近接されて設けられており、吸気孔３１から表示室３内に取り込まれる空気に排気孔７２からの空気が混入されることで、例えば夕暮れ時に湿った冷たい空気が表示室３に入って空気と装置駆体との間に大きな温度差が生じるような場合などに、その温度差を小さくして表示室３の内面に結露が生じるのを防ぐことができる。
【００１７】
次に（ｂ）において、排気孔７２は排気を行うものであるから後側枠体７の下面に開口されているが、吸気孔３１は前述のフィルターは設けられてはいるものの、なるべく吸気孔３１への水分の侵入を防止できるよう、前側枠体６と後側枠体７との間に設けられた溝部３２の上面部分に開口されて、吸気孔３１の開口部分に直接雨水が当たったり、装置の側面を伝ってくる水分が直接接触したりしないようになされている。
【００１８】
図４は、図２に示したＤ−Ｄ断面の概略を示す縦断面図である。表示室３内の上端付近に送風機４が設けられ、後側枠体７には、表示室３から中空部７１に連通された放熱孔７３が設けられている。送風機４によって送られる空気は、放熱孔７３を通って中空部７１に導入されるようになされている。表示室３内で、発光体１により熱せられた空気は、密度が小さいことから表示室３の上方に滞留するが、送風機４が表示室３内の上方の熱せられた空気Ｎを中空部７１に送り込むことで、表示室３から熱せられた空気Ｎが効率よく排出される。更に中空部７１に送り込まれた空気Ｎは、中空部７１を下方に通って後側枠体７の下面に設けられた排気孔７２から外気に放出されることで、表示室３内からの放熱がなされる。排気孔７２は後側枠体７の下面に設けられていることで、後側枠体７の全体に熱せられた空気Ｎが行き渡り、寒冷時等において内面の腐食等の原因となる後側枠体７内面の結露を防止することができる。
【００１９】
図５は、排気孔７２の他の例を示す縦断面図である。（ａ）のように、排気孔７２は放熱孔７３より下方に設けられていれば、後側枠体７の中間付近の側面に設けて排気孔７２と放熱孔７３との距離を小さくして放熱速度を高めるようにしてもよい。また（ｂ）のように、排気孔７２と放熱孔７３を各々対角線上に設けることで距離を大きくして水分や塵埃等の侵入防止を図ってもよく、排気孔７２は放熱孔７３より下方に設けられていれば、排気孔７２は適宜の位置に設けてよい。また図３においては排気孔７２が下面に設けられていることで水抜き孔を兼ねるようになされているが、排気孔７２が側面等に設けられている場合には、後側枠体７の下面に中空部７１内に滞留した水分を放出するための水抜き孔７４を設けておくのが好ましい。
【図面の簡単な説明】
【００２０】
【図１】本発明に係わる発光式情報表示装置の、実施の一形態を示す説明図である。
【図２】図１のＣ−Ｃ横断面図である。
【図３】本発明に係わる発光式情報表示装置の、下端付近の詳細を示す説明図である。
【図４】図２のＤ−Ｄ縦断面図である。
【図５】排気孔を設ける他の例を示す縦断面図である。
【符号の説明】
【００２１】
１    発光体
２    制御装置
３    表示室
４    送風機
７    後側枠体
７１  中空部
７２  排気孔
７３  排熱孔
１０  発光式情報表示装置
Ｎ    熱せられた空気
【図１】
0004804835.tif 000002
【図２】
0004804835.tif 000003
【図３】
0004804835.tif 000004
【図４】
0004804835.tif 000005
【図５】
0004804835.tif 000006